(57)【要約】      （修正有）【課題】不幸にして原爆が炸裂しても１人の犠牲者も出さない為に、防護施設と設備品を提供する。【解決手段】地下に造る防護室の場合は防護室天井外部に接着材にて、ファインセラミックスタイルを貼り付けて高熱線よりコンクリ−ト上部を保護する。また地上に造る場合は外側面と屋根部分総てに接着剤にてファインセラミックスタイルを貼り付け同じく高熱線より防護室コンクリ−トを保護する。【選択図】図２
0003120979.tif 000002
【実用新案登録請求の範囲】
【請求項１】
（１）地下に造る防護室の場合は防護室天井外部に接着材にて、ファインセラミックスタイルを貼り付けて高熱線よりコンクリート上部を保護する。また地上に造る場合は外側面と屋根部分総てに接着剤にてファインセラミックスタイルを貼り付け同じく高熱線より防護室コンクリートを保護する。ファインセラミックスタイル最大寸法は今現在では厚み３０ｍｍ，幅２００ｍｍ角です。
【請求項２】
（１）中性子線を防ぎたいので天井コンクリート厚は１ｍ以上にすること。地上に造る場合は壁コンクリート厚も１ｍ以上にする。より安全に造るなら天井コンクリート上に深さ１ｍ以上のプールを造る。水による中性子線の吸収が考えられる。また地下深く１００ｍ位に造れば完璧である。
【請求項３】
（１）６０年前の広島市での核爆発では３０分ほどして黒い雨が降ってきた。核爆発時の熱線で一時３０００°Ｃ〜４０００°Ｃに上昇した気温が黒い雨によって急激に冷やされた。ほぼ常温になれば核で汚染された外気を取り入れても空気清浄器やその中のろ過フィルターもその本来の役目を果たせる状態になるので、少し余裕をみて核爆発から１時間ほどは外気を遮断し空気ボンベ使用の呼吸をすること防護室内に空気ボンベを置く、一人あたり１時間以上使用可能のものを、収容人員以上のボンベの確保をしておくこと。
【請求項４】
（１）爆心地から近ければ、電源は自ら賄う必要があるので、ジーゼル発電機かガス発電機を設置する。収容人員と収容面積により発電量も変動する。発電期間は最短でも２週間〜１ヶ月間は発電出来るように燃料の確保をしておくこと。通常使用の電力会社からの電気が使用不能になっても心配しなくてもよいように。
【請求項５】
（１）防護室地下築造の場合はコンクリート外周にアスファルト防水を施すが、ファインセラミックスタイル貼りでもその外周にアスファルト防水を施す。また入口地上部もＧＬより４００ｍｍまでは防水工事を施す。
（２）防水工事をしても地下水が進入した場合には水中ポンプにて排水する。排水先は地上のトイレなどに流す。
【請求項６】
（１）空気清浄器内のチャコールフィルターは厚み５ｍｍのものを外気流入側は２０枚重ねにし送風機側（シロッコファン）には５枚重ねにしてそれぞれ、金網にて固定すること。
【考案の詳細な説明】
【技術分野】
【０００１】  今現在存在する最大耐熱物質であり、スペースシャトルの外壁にも使用されている。旭硝子セラミックス株式会社製品のセラボレっクスの融点は３０６０°Ｃである。
圧縮空気ボンベ１本で６０分間の使用可能のものがある。
小型から大型までの自家発電装置。
動力用水中ポンプ。
空気清浄器内の５ｍｍ厚チャコールフィルターを空気流入側に２０枚重ねにして、送風機側は５枚重ねで核・生物・化学物質を長時間吸着し読けられるようにした。
防護室内の外気吸入用と室内空気排出用には遠心送風機（シロッコファン）を使用することです。外部空気が強風の場合でも吸入・排出が出来るようにする為です。
【背景技術】
【０００２】  国民保護法が施行と成りました。
【考案の開示】
【考案が解決しようとする課題】
【０００３】  先の大戦時、原爆の炸裂により多数の尊い命が奪われました。６０年たった今でも原爆症で苦しんでいる大勢の方々がいます。たとえこれから不幸にして原爆が炸裂しても１人の犠牲者も出さない為にはこのような防護施設と設備品が必要なのです。核保有国は中性子線の研究も進めており、中性子線からも人間を守っていく事が必要なのです。この先我国が被った悲劇を我国民と人類に味合わせたくはありません。
［課題を解決する為の手段］【０００４】  国民、政治家が人々の命を守ることに、もっと真剣に成る事。そして、各地に大小の防護施設を造って、時々避難訓練なども行う事。１億２千万人以上の方々の防護施設を造る為に。
【考案の効果】
【０００５】  人々に真の安心感が生まれる。核保有国からの真の抑止力になる。
【考案を実施するための最良の形態】
【０００６】  防護施設建設には国から７５％以上の補助金を出して、築造しやすくしてやることです。（スイス国などを見習って）
【実施例】
【０００７】  自宅とアパートには放射性ちりろ過器が設置してある。【０００８】  鉄筋コンクリート製の防護室はまだ無いが、準備中です。
【産業上の利用可能性】
【０００９】  核・生物・化学テロの防護だけでは無く、日本で頻繁に起こる台風や地震などの災害時の緊急避難所としても使える。また図書館や美術館、ライブハウス、会議室としても使用出来るのです。
【図面の簡単な説明】
【００１０】  天井、壁のコンクリート強度はＮ値３０以上とする。コンクリートの厚みは可変である。少なくとも１ｍ以上の厚みがあればよい。厚ければ厚いほど防護性能は増す。壁厚について地下築造の場合は最低限横方向からの土圧に耐えられることと、天井コンクリートを支えられる寸法、構造であること。
天井コンクリートはＧＬ（地上○ｍ）より深くなればなるほど厚みも増す必要がある。また天井コンクリート上にファインセラミックスタイルも接着するのでセラミックスの荷重も考慮する事。ファインセラミックスタイルの１個あたりの最大寸法は厚み３０ｍｍ、幅２００ｍｍ角である。天井外部に全面張りしてアスファルト防水工事を行うこと。コンクリート地上部分にもＧＬより４００ｍｍまでは防水工事を行うこと。
防護室内の必要空気流量は収容人数に応じて変わるが、１人当たり２０立法／時以上確保すること。圧縮空気ボンベも収容人員分＋αの確保を。
外気は防護室壁下部より流入させて（床上２００ｍｍのところに流入穴を設ける２００〜３００角）、室内空気排出用は壁上部より排出させる（天井より２００ｍｍ下の所に排出穴を設ける２００〜３００角）。自家発電装置は別室に設け給排気装置も取り付ける。
防護室内は密閉空間であり、なを地下に造るので湿気でカビなどが発生しやすくなるので、常時換気扇にて空気の出入りを計る必要がある。
図４、５、６はコンクリートの断面図であり、鉄筋の一部配筋も記入。図７、８はファインセラミックスタイルの最大寸法のもの。図９はガスボンベです。図１０はジーゼル発電機を立体的に示した。図１１は水中ポンプです。図１２、１３は今公開特許公報（Ａ）で公開中の物を少し改良しより強力により安全にしたものです。平時の電源は電力会社あるいは太陽光発電装置からの電気を使用する。自家発電用のものは２週間に１回位のテストをすること。
【図１】
0003120979.tif 000003
【図２】
0003120979.tif 000004
【図３】
0003120979.tif 000005
【図４】
0003120979.tif 000006
【図５】
0003120979.tif 000007
【図６】
0003120979.tif 000008
【図７】
0003120979.tif 000009
【図８】
0003120979.tif 000010
【図９】
0003120979.tif 000011
【図１０】
0003120979.tif 000012
【図１１】
0003120979.tif 000013
【図１２】
0003120979.tif 000014
【図１３】
0003120979.tif 000015
【手続補正書】
【提出日】平成18年1月18日(2006.1.18)
【手続補正１】
【補正対象書類名】実用新案登録請求の範囲
【補正対象項目名】全文
【補正方法】変更
【補正の内容】
【実用新案登録請求の範囲】
【請求項１】
（１）地下に造る防護室の場合は防護室天井外部に接着材にて、ファインセラミックスタイルを貼り付けて高熱線よりコンクリ−ト上部を保護する。また地上に造る場合は外側面と屋根部分総てに接着剤にてファインセラミックスタイルを貼り付け同じく高熱線より防護室コンクリ−トを保護する。ファインセラミックスタイル最大寸法は今現在では厚み３０ｍｍ、幅２００ｍｍ角です。以上から構成される防護施設。
【請求項２】
（１）中性子線を防ぎたいので天井コンクリ−ト厚は１Ｍ以上にすること。地上に造る場合は壁コンクリ−ト厚も１Ｍ以上にする。より安全に造るなら天井コンクリ−ト上に深さ１Ｍ以上のプ−ルを造る。水による中性子線の吸収が考えられる。また地下深く１００Ｍ位に造れば完璧である。以上から構成される請求項１記載の防護施設。
【請求項３】
（１）ほぼ常温になれば核で汚染された外気を取り入れても空気清浄器やその中のろ過フィルタ−もその本来の役目を果たせる状態になるので、少し余裕をみて核爆発から１時間ほどは外気を遮断し空気ボンベ使用の呼吸をすること防護室内に空気ボンベを置く、一人あたり１時間以上使用可能のものを、収容人員以上のボンベの確保をしておくこと。以上から構成される請求項１〜２いずれか記載の防護施設。
【請求項４】
（１）爆心地から近ければ、電源は自ら賄う必要があるので、ジ−ゼル発電機かガス発電機を設置する。収容人員と収容面積により発電量も変動する。発電期間は最短でも２週間〜１ヶ月間は発電出来るように燃料の確保をしておくこと。通常使用の電力会社からの電気が使用不能になっても心配しなくてもよいように。以上から構成される請求項１〜３いずれか記載の防護施設。
【請求項５】
（１）防護室地下築造の場合はコンクリ−ト外周にアスファルト防水を施すが、ファインセラミックスタイル貼りでもその外周にアスファルト防水を施す。また地上部もＧＬより４００ｍｍまでは防水工事を施す。
（２）防水工事をしても地下水が進入した場合には水中ポンプにて排水する。排水先は地上のトイレなどに流す。以上から構成される請求項１〜４いずれか記載の防護施設。
【請求項６】
（１）空気清浄器内のチャコ−ルフィルタ−は厚み５ｍｍのものを外気流入側は２０枚重ねにし送風機側（シロッコファン）には５枚重ねにしてそれぞれ、金網にて固定すること。以上から構成される請求項１〜５いずれか記載の防護施設。
【手続補正２】
【補正対象書類名】明細書
【補正対象項目名】００１０
【補正方法】変更
【補正の内容】
【００１０】
【図１】  防護室、入口階段、倉庫を示した平面図であります。
【図２】  防護室、入口階段、倉庫と地上部を示した立面図であります。
【図３】  防護室Ａ−Ａ′間の断面図であります。
【図４】  地下一階、地上一階スラブ断面図であります。
【図５】  地下壁、地上壁断面図であります。
【図６】  地下一階土間断面図であります。
【図７】  ファインセラミックスタイルの断面図であります。
【図８】  ファインセラミックスタイルの平面図であります。
【図９】  圧縮空気ボンベの立面図であります。
【図１０】  ジ−ゼル自家発電装置の立体図であります。
【図１１】  水中ポンプの立体図であります。
【図１２】  放射性ちりろ過器側面図であります。
【図１３】  放射性ちりろ過器空気流入側立面図であります。